(57)【要約】      （修正有）【課題】穀物原料又はその加工品等の粉粒体原料を篩網の編み目の大きさにより分級する篩機の、分級の効率を上げるための振動を付与させる振動篩機装置において、床面に伝わる振動の低減及びＶベルトの脱落を防止できる振動篩機装置を提供する。【解決手段】架台１に高さを相違させて立設した脚部２と、脚部２に弾性体２ａを介装させ任意角度で傾斜させた篩框３と、篩框３に張設させた上下二段の篩網４．５と、原料投入口３ａと、上段原料排出口３ｂと、下段原料排出口３ｃと、底部原料排出口３ｄとを設ける。また、篩框３の上面に駆動モーターＭを固定し、駆動モーターＭのモーター回転軸７にモーター側プーリー７ａを固定し、篩框３の側面に篩框側回転軸６を軸着し、篩框側回転軸６に篩框側プーリー６ａとアンバランスウエート６ｂとを固定すると共に、篩框側プーリー６ａとモーター側プーリー７ａとにＶベルト８を周設して連繋したものである。【選択図】図１
0003161575.tif 000002
【実用新案登録請求の範囲】
【請求項１】
架台と、該架台の両側に高さを相違させて立設した夫々の脚部と、該夫々の脚部に夫々弾性体を介装させ任意角度で傾斜させて取り付けられた箱状の篩框と、該篩框の内部に傾斜に沿って間隔を空けて張設させた上下二段の篩網と、前記篩框の上方端辺に設けた原料投入口と、前記篩框の下方端辺に設けた前記上段篩網の上方と連通する上段原料排出口と、該上段原料排出口の下方に設けた前記下段篩網の上方と連通する下段原料排出口と、前記篩框の底部に設けた底部原料排出口と、を備えた粉粒体原料の振動篩機装置であって、前記篩框の上面に駆動モーターを固定し、該駆動モーターのモーター回転軸にモーター側プーリーを固定し、前記篩框の側面に篩框側回転軸を軸着し、該篩框側回転軸に篩框側プーリーとアンバランスウエートとを固定すると共に、該篩框側プーリーと前記モーター側プーリーとにＶベルトを周設して連繋したことを特徴とする粉粒体原料の振動篩機装置。
【考案の詳細な説明】
【技術分野】
【０００１】
本考案は粉粒体原料の振動篩機装置に関するものであり、更に、詳細には、穀物原料又はその加工品等の粉粒体原料を篩網の編み目の大きさにより分級する篩機の分級の効率を上げるための振動を付与させる振動篩機装置に関するものである。
【背景技術】
【０００２】
この種の粉粒体原料の振動篩機装置は、粉粒体の粒子のサイズを篩網の編み目の大きさにより分級するもので、分級の効率化を図るために篩網に振動を付与するものであるが、図２に図示するように、駆動モーターＭを床に配設された架台１の上面に設置してＶベルト８により駆動モーター側と篩框側との双方のプーリー６ａ．７ａを連繋させていたが、運転始動時或いは運転終了時は振動が不安定な為、プーリー６ａ．７ａからＶベルト８が屡々外れたり、また、振動が床面に伝播して不愉快な思いをしていた。
【０００３】
その為に、先に開示されたものとして、残土、砕石混合物の分離を行う分離金網と、当該分離金網に設置された振動モータとを備え、装置全体を折りたたみ可能としたもの（特許文献１参照）や、路盤１と一定角度傾斜する様にした機台２に枢着する支持腕３との間に防振スプリング４を介設し、該機台２上には振動スプリング５と振動桿６及びモーター７により一定の振幅により搬送可能としたトラフ８を配設すると共に、該トラフ８の上端の両側方には投入するごみの流れ方向を規制する方向規制板９と、これに連続する平面長方形のトラフ面１０には対角状の稜線１１を膨出せしめ、この稜線１１を境とした傾斜分離面１２、１３をその両側方に形成する排出溝１４に向けて傾斜させて振動搬送される缶物等の丸物を分離するもの（特許文献２参照）や、振動スクリーン５を振動させるように構成した振動篩装置。基体３から上方に向けて支持体６を連設し、該支持体６により前記振動スクリーン５の固定側部５Ａを支持させ、リンク機構４により前記振動スクリーン５の可動側部５Ｂを支持させ、且つ、前記基体３と前記振動スクリーン５の可動側部５Ｂとをリアクタースプリング７で連結してあるもの（特許文献３参照）等がある。
【特許文献１】特許第３２９４７８６号公報（図１）
【特許文献２】特開平９−２９０２１５号公報（図２）
【特許文献３】特開２００９−２９１７７２号公報（図１）
【考案の開示】
【考案が解決しようとする課題】
【０００４】
然し乍ら、特許文献１は、残土、粉砕混合物の分離であり、段落番号００１２に記載されているように、分離効率の向上のため、上段金網１及び下段金網２に直接、各々左右一対の高周波振動モーター４を取り付け、サイズの異なる残土、粉砕混合物の分離可能としている。と、記載されており、４つの高周波振動モータを用いて強振を必要とするもので、その制御や装置が複雑となるものであり、更に、特許文献２では、防振スプリングを介した機台に振動は付与しているものであるが、一般ゴミの中から缶類等の円物を分離するもので粉粒体の篩機には不適当なものであり、更には、特許文献３では、緩衝バネ２を介した基体３に振動モーター９を設置して、該振動モーター９によりリンク機構４を駆動して振動スクリーン５に振動を付与しているものであるが、パーツの数が多く成り複雑なもので不経済なものである。
【課題を解決するための手段】
【０００５】
本考案は前記課題に鑑み、鋭意研鑽の結果、これらの課題を解決するもので、架台と、架台の両側に高さを相違させて立設した脚部と、脚部に弾性体を介装させ任意角度で傾斜させて取り付けられた箱状の篩框と、篩框の内部に傾斜に沿って間隔を空けて張設させた上下二段の篩網と、篩框の上方端辺に設けた原料投入口と、篩框の下方端辺に設けた上段篩網の上方と連通する上段原料排出口と、上段原料排出口の下方に設けた下段篩網の上方と連通する下段原料排出口と、篩框の底部に設けた底部原料排出口と、を備えた粉粒体原料の振動篩機装置であって、篩框の上面に駆動モーターを固定し、駆動モーターのモーター回転軸にモーター側プーリーを固定し、篩框の側面に篩框側回転軸を軸着し、篩框側回転軸に篩框側プーリーとアンバランスウエートとを固定すると共に、篩框側プーリーとモーター側プーリーとにＶベルトを周設して連繋したものである。
【考案の効果】
【０００６】
前述の如く構成した本考案の粉粒体原料の振動篩機装置は、篩框の上面に駆動モーターを固定し、駆動モーターのモーター回転軸にモーター側プーリーを固定し、篩框の側面に篩框側回転軸を軸着し、篩框側回転軸にアンバランスウエートを付設した篩框側プーリーを固定すると共に、モーター側プーリーと篩框側プーリーとにＶベルトを周設して連繋したものであり、篩框側回転軸に篩框側プーリーとアンバランスウエートとを固定したことにより、篩框に円運動の振動を付与すると共に、モーター側プーリーと篩框側プーリーとの距離を絶えず一定に保とうとすることが可能となり、運転始動時や運転終了時に振動が不安定に成ってもＶベルトが外れたり、不愉快な振動が床面に伝わることが殆ど無いもので画期的で実用性の高い有効な考案である。
【考案を実施するための最良の形態】
【０００７】
以下、本考案の粉粒体原料の振動篩機装置の実施の形態を図面によって、具体的に説明すると、図１は本考案の粉粒体原料の振動篩機装置の実施例の側面説明図であり、図２は従来の粉粒体原料の振動篩機装置の側面説明図でる。
【０００８】
本考案は粉粒体原料の振動篩機装置に関するものであり、更に、詳細には、穀物原料又はその加工品等の粉粒体原料を篩網の編み目の大きさにより分級する篩機の分級の効率を上げるための振動を付与させる振動篩機装置に関するものであり、架台１と、該架台１の両側に高さを相違させて立設した夫々の脚部２と、該夫々の脚部２に夫々弾性体２ａを介装させ任意角度で傾斜させて取り付けられた箱状の篩框３と、該篩框３の内部に傾斜に沿って間隔を空けて張設させた上下二段の篩網４．５と、前記篩框３の上方端辺に設けた原料投入口３ａと、前記篩框３の下方端辺に設けた前記上段篩網４の上方と連通する上段原料排出口３ｂと、該上段原料排出口３ｂの下方に設けた前記下段篩網５の上方と連通する下段原料排出口３ｃと、前記篩框３の底部に設けた底部原料排出口３ｄと、を備えた粉粒体原料の振動篩機装置であって、前記篩框３の上面に駆動モーターＭを固定し、該駆動モーターＭのモーター回転軸７にモーター側プーリー７ａを固定し、前記篩框３の側面に篩框側回転軸６を軸着し、該篩框側回転軸６に篩框側プーリー６ａとアンバランスウエート６ｂとを固定すると共に、該篩框側プーリー６ａと前記モーター側プーリー７ａとにＶベルト８を周設して連繋したことを特徴とするものである。
【実施例】
【０００９】
即ち、本考案の架台１は、床面に配設するためのもので、矩形状の下方に複数の短脚部を介装しており、上方には後述する粉粒体原料の振動篩機装置を組設するものである。
【００１０】
そして、脚部２は、図１に図示するように、架台１の両側に図示する左右方向の高さを相違させて立設させたものであるが、前後左右に４本設けることが安定するものである。
【００１１】
次に、篩框３は、傾斜させた箱状のもので、前記高さの相違する夫々の脚部２にコイルスプリング又は防振ゴムの弾性体２ａを夫々介装させて取り付けたもので、任意角度で傾斜しているものである。
【００１２】
次いで、篩網４．５は、篩框３の内部に傾斜に沿って間隔を空けて張設させた金網状のものであり、上段篩網４と下段篩網５との上下二段に貼設させているのもので、上段篩網４の網の目のサイズは下段篩網５の網の目のサイズより粗目のものを用いているものである。
【００１３】
更に、原料投入口３ａは、上方に穀物原料又はその加工品等の粉粒体原料を供給する供給手段（図示しない）を備えており、前記篩框３の上方端辺に開口させているものである。
【００１４】
更には、上段原料排出口３ｂは、上段篩網４の上方と連通させ篩框３の下方端辺に設けているもので、上段篩網４の粗目の網の目を通過しなかった穀物原料又はその加工品等の粉粒体原料を排出するためのものである。
【００１５】
加えて、下段原料排出口３ｃは、上段篩網４の下方と下段篩網５の上方との間に連通させ篩框３の下方端辺に設けているもので、上段篩網４の粗目の網の目を通過し、かつ、下段篩網５の細目の網の目を通過できなかった穀物原料又はその加工品等の粉粒体原料を排出するためのものである。
【００１６】
更に、底部原料排出口３ｄは、篩框３の底部に設けているもので、つまり、上段篩網４と下段篩網５とを通過した細かい穀物原料又はその加工品等の粉粒体原料を排出するためのものである。
【００１７】
そして、前述のように構成した粉粒体原料の振動篩機装置の駆動モーターＭは、汎用されているモーターで良く、篩框３の上面に固定しているもので、その取付構造は各種考慮されるが、後述する篩框３に突出させた篩框側回転軸６と駆動モーターＭのモーター側回転軸７との軸間を絶えず一定に保つようにしているものである。
【００１８】
次に、モーター側プーリー７ａは、駆動モーターＭのモーター側回転軸７に固定しているもので、周方向には後述するＶベルト８を周設するように溝を刻設しているものである。
【００１９】
次いで、篩框３にベアリングを設けて側面に突出するように篩框側回転軸６を軸着させており、篩框側回転軸６にはアンバランスウエート６ｂを後述する篩框側プーリー６ａと共に固定しているものである。
【００２０】
更に、篩框側プーリー６ａは、篩框３に突出させた篩框側回転軸６にアンバランスウエート６ｂと共に固定しているものであり、該篩框側プーリー６ａには後述するＶベルト８を周設するように溝が周方向に刻設されているものである。
【００２１】
更には、Ｖベルト８は、モーター側プーリー７ａと篩框側プーリー６ａとの夫々の溝に周設して連繋しているものである。
【００２２】
そして、本考案の粉粒体原料の振動篩機装置は、駆動モーターＭを駆動させるとモーター側プーリー７ａと篩框側プーリー６ａとがＶベルト８で連繋されており、篩框側プーリー６ａが回転すると篩框側回転軸６に固定したアンバランスウエート６ｂによる振動が篩框３に付与されもので、この篩框３の原料投入口３ａに上方から穀物原料又はその加工品の粉粒体原料を投入すると、篩框３に張設された上段篩網４と下段篩網５とにより粉粒体原料が分級されるものである。
【００２３】
つまり、上段篩網４の編み目のサイズにより通過する粉粒体原料と、通過できない粉粒体原料とに分離され、通過できない粉粒体原料は上段原料排出口３ｂから排出され、上段篩網４を通過した粉粒体原料は、再度、下段篩網５で分級され、下段篩網５を通過できない粉粒体原料は下段原料排出口３ｃから排出され、通過した粉粒体原料は底部原料排出口３ｄに集められ排出されるものである。
【産業上の利用可能性】
【００２４】
本考案の粉粒体原料の振動篩機装置は、篩框の上面に駆動モーターを固定し、駆動モーターのモーター回転軸にモーター側プーリーを固定し、篩框の側面に篩框側回転軸を軸着し、篩框側回転軸にアンバランスウエートを付設した篩框側プーリーを固定すると共に、モーター側プーリーと篩框側プーリーとにＶベルトを周設して連繋したものであり、篩框側回転軸に篩框側プーリーとアンバランスウエートとを固定したことにより、篩框に円運動の振動を付与すると共に、モーター側プーリーと篩框側プーリーとの距離を絶えず一定に保とうとすることが可能となり、運転始動時や運転終了時に振動が不安定になることが無いのでＶベルトが外れたり、不愉快な振動が床面に伝わることが殆ど無い粉粒体原料の振動篩機装置を提供するものである。
【図面の簡単な説明】
【００２５】
【図１】図１は本考案の粉粒体原料の振動篩機装置の実施例の側面説明図である。
【図２】図２は従来の粉粒体原料の振動篩機装置の側面説明図でる。
【符号の説明】
【００２６】
１      架台
２      脚部
２ａ    弾性体                        
３      篩框
３ａ    原料投入口
３ｂ    上段原料排出口
３ｃ    下段原料排出口
３ｄ    底部原料排出口
４      上段篩網
５      下段篩網
６      篩框側回転軸
６ａ    篩框側プーリー
６ｂ    アンバランスウエート
７      モーター側回転軸
７ａ    モーター側プーリー
８      Ｖベルト
Ｍ      駆動モーター
【図１】
0003161575.tif 000003
【図２】
0003161575.tif 000004